(57)【要約】      （修正有）【課題】折り畳む作業を容易に行えるようにした包装容器を提供する。【解決手段】矩形状の底面を有する紙製で箱形の包装容器であって、底面１０において、一方の対角線上に設けられた第一破断線４０と、他方の対角線を構成する隅部から、約４５°の角度で第一破断線４０までそれぞれ延長された一対の第二破断線４１、４２と、をそれぞれ設けており、第一破断線４０及び第二破断線４１、４２は、各々、破断されたカット線分と、カット線分同士を繋ぐ繋ぎ線分とが交互に出現するように構成されており、さらに第一破断線は、その中央部分に連続した中央カット線分を設けることができる。【選択図】図２
0003174254.tif 000002
【実用新案登録請求の範囲】
【請求項１】
矩形状の底面を有する包装容器であって、
前記底面(10)において、
一方の対角線上に設けられた第一破断線(40)と、
他方の対角線を構成する隅部の角度を２等分する角度で前記第一破断線(40)までそれぞれ延長された一対の第二破断線(41;42)と、
をそれぞれ設けており、
前記第一破断線(40)及び第二破断線(41:42)は、各々隅部から延長されてなり、
前記第一破断線(40)及び第二破断線(41;42)は、各々、破断されたカット線分と、該カット線分同士を繋ぐ繋ぎ線分とが交互に出現するように構成されており、
前記第一破断線(40)は、その中央部分に連続した中央カット線分(40A)を設けてなることを特徴とする包装容器。
【請求項２】
請求項１に記載の包装容器であって、
前記第一破断線(40)は、隅部近傍における繋ぎ線分を中央近傍の繋ぎ線分よりも長くしてなることを特徴とする包装容器。
【請求項３】
請求項１又は２に記載の包装容器であって、
前記第一破断線(40)は、隅部近傍におけるカット線分を中央近傍のカット線分よりも短くしてなることを特徴とする包装容器。
【請求項４】
請求項１から３のいずれか一に記載の包装容器であって、
前記第一破断線(40)は、隅部近傍におけるカット線分を、隅部近傍における繋ぎ線分よりも短くしてなることを特徴とする包装容器。
【請求項５】
請求項３から４のいずれか一に記載の包装容器であって、
前記第一破断線(40)は、隅部近傍におけるカット線分と繋ぎ線分の比率を、中央近傍における繋ぎ線分とカット線分の比率とほぼ等しくしてなることを特徴とする包装容器。
【請求項６】
請求項１から５のいずれか一に記載の包装容器であって、
前記第二破断線(41;42)は、カット線分と繋ぎ線分の比率を長さ方向にわたり均一にしてなることを特徴とする包装容器。
【請求項７】
請求項１から６のいずれか一に記載の包装容器であって、
前記第二破断線(41;42)は、カット線分の長さと繋ぎ線分の長さとを略等しくしてなることを特徴とする包装容器。
【請求項８】
請求項１から７のいずれか一に記載の包装容器であって、
前記第二破断線(41;42)におけるカット線分の長さを、第一破断線(40)の中央近傍におけるカット線分の長さとを略等しくしてなることを特徴とする包装容器。
【請求項９】
請求項１から８のいずれか一に記載の包装容器であって、
前記第一破断線(40)は、前記第二破断線(41;42)よりも、カット線分の単位長さ当たりの平均長さが長く、繋ぎ線分の単位長さ当たりの平均長さが短いことを特徴とする包装容器。
【考案の詳細な説明】
【技術分野】
【０００１】
本考案は、包装容器に関する。
【背景技術】
【０００２】
医療における薬剤のアンプル等の梱包には、現在紙製の包装容器が多く利用されている。この包装容器は、廃棄の際に嵩張らないように折り畳まれて、廃棄物として回収されている。しかし、このような包装容器は、強固に糊付けされた部分を剥ぐ、もしくは、側面を無理矢理に破断させる等、手間と力が要求される折り畳む作業が必要とされる。そこで、折り畳みを容易にした構造が提案されている（特許文献１）。
【０００３】
この特許文献１に示す包装容器は、図１０に示すように、底面９１８の一方の対角線上に紙製のジッパ９５８を設けて、さらに他方の対角線側に、平行な折り目９５４、９５６を設けている。この包装容器は、図１１に示すように、ジッパ９５８を中央より両端に引き裂かれ切り取られた後に、図１２に示すように底面９１８を手前に引き出すようにして、折り目９５４、９５６を突出させ折り畳んでいる。
【先行技術文献】
【特許文献】
【０００４】
【特許文献１】特開平１１−１８０４３６号公報
【考案の概要】
【考案が解決しようとする課題】
【０００５】
しかしながらこの構成では、底面が突出するように折り畳まれるため、折り畳まれた包装容器の形状も突出して嵩張り、管理する上で不利となる問題があった。そこで、底面を押し込むように折り畳もうとすると、折り込まれた底面の折り目で復元しようとする反発力が働き、嵩高となってしまう。さらにジッパ等を設ける構成は複雑で、製造コストが高くなる上、破断後のジッパを別途破棄する必要も生じる。
【０００６】
本考案は、従来のこのような問題点を解決することを目的になされたものである。本考案の主な目的は、包装容器の底面を押し込むように折り畳む作業を容易に行えるようにした包装容器を提供することにある。
【課題を解決するための手段及び考案の効果】
【０００７】
上記の目的を達成するために、本考案に係る第１の包装容器は、矩形状の底面を有する包装容器であって、前記底面１０において、一方の対角線上に設けられた第一破断線４０と、他方の対角線を構成する隅部を２等分する角度で前記第一破断線４０までそれぞれ延長された一対の第二破断線４１、４２と、をそれぞれ設けており、前記第一破断線４０及び第二破断線４１、４２は、各々隅部から延長されてなり、また前記第一破断線４０及び第二破断線４１、４２は、各々、破断されたカット線分と、該カット線分同士を繋ぐ繋ぎ線分とが交互に出現するように構成されており、さらに前記第一破断線は、その中央部分に連続した中央カット線分４０Ａを設けることができる。
上記構成により、包装容器を折り畳む際に、第一破断線の中央カット線分を押し込むことで、容易に第一破断線に沿って対角線上に切り開くことができ、さらに底面を一層押し込むことで、切り口を拡大すると共に、第二破断線に沿って谷折りして、包装容器を折り畳むことが可能となる。また第二破断線を破断線とすることで、折り畳み後の反発力を低減して、折り畳まれた包装容器の体積縮小に有利となる。
【０００８】
また、本考案の第２の側面に係る包装容器によれば、前記第一破断線４０は、隅部近傍における繋ぎ線分を中央近傍の繋ぎ線分よりも長くすることができる。
上記構成により、第一破断線での破断作業を容易にしつつ、隅部における第一破断線の強度を増して、包装容器を製函機で組み立てる際に第一破断線の端部に不良が発生する事態を回避できる。
【０００９】
さらに、本考案の第３の側面に係る包装容器によれば、前記第一破断線４０は、隅部近傍におけるカット線分を中央近傍のカット線分よりも短くすることができる。
上記構成により、第一破断線での破断作業を容易にしつつ、隅部における第一破断線の強度を増して、包装容器を製函機で組み立てる際に第一破断線の端部に不良が発生する事態を回避できる。
【００１０】
さらにまた、本考案の第４の側面に係る包装容器によれば、前記第一破断線４０は、隅部近傍におけるカット線分を、隅部近傍における繋ぎ線分よりも短くすることができる。
上記構成により、第一破断線での破断作業を容易にしつつ、隅部における第一破断線の強度を増して、包装容器を製函機で組み立てる際に第一破断線の端部に不良が発生する事態を回避できる。
【００１１】
さらにまた、本考案の第５の側面に係る包装容器によれば、前記第一破断線４０は、隅部近傍におけるカット線分と繋ぎ線分の比率を、中央近傍における繋ぎ線分とカット線分の比率とほぼ等しくすることができる。
上記構成により、第一破断線での破断作業を容易にしつつ、隅部における第一破断線の強度を増して、包装容器を製函機で組み立てる際に第一破断線の端部に不良が発生する事態を回避できる。
【００１２】
さらにまた、本考案の第６の側面に係る包装容器によれば、前記第二破断線４１、４２は、カット線分と繋ぎ線分の比率を長さ方向にわたり均一にすることができる。
上記構成により、弱い押圧力により第二破断線を折曲させ折り畳むことができると共に、
第二破断線での破断を回避することができる。
【００１３】
さらにまた、本考案の第７の側面に係る包装容器によれば、前記第二破断線４１、４２は、カット線分の長さと繋ぎ線分の長さとを略等しくすることができる。
上記構成により、弱い押圧力により第二破断線を折曲させ折り畳むことができると共に、
第二破断線での破断を回避することができる。
【００１４】
さらにまた、本考案の第８の側面に係る包装容器によれば、前記第二破断線４１、４２におけるカット線分の長さを、第一破断線４０の中央近傍におけるカット線分の長さとを略等しくすることができる。
上記構成により、弱い押圧力により第二破断線を折曲させ折り畳むことができると共に、
第二破断線での破断を回避することができる。
【００１５】
さらにまた、本考案の第９の側面に係る包装容器によれば、前記第一破断線４０は、前記第二破断線４１、４２よりも、カット線分の単位長さ当たりの平均長さが長く、繋ぎ線分の単位長さ当たりの平均長さが短いこととすることができる。
上記構成により、第一破断線を第二破断線よりも破断し易くして、折り畳み時に弱い力でも破断できるようにすると共に、第二破断線は破断させずに谷折り状態に維持できる。
【図面の簡単な説明】
【００１６】
【図１】本考案の一実施の形態に係る包装容器の上蓋面を開封した状態を示す斜視図である。
【図２】図１の包装容器を示す展開図である。
【図３】包装容器の底面のみを示す拡大平面図である。
【図４】図１に示す包装容器の底面を上方から見た斜視図である。
【図５】図４の包装容器を第一破断線に沿って破断した状態を示す斜視図である。
【図６】図５の包装容器を第二破断線に沿って折り畳む状態を示す斜視図である。
【図７】図６の包装容器を折り畳んだ状態を示す斜視図である。
【図８】図７の包装容器の上蓋面を折り畳んだ状態を示す斜視図である。
【図９】製函機時に不良となった包装容器を示す斜視図（ａ）及び斜めから見た側面図（ｂ）である。
【図１０】従来の易廃棄性紙箱を示す展開図である。
【図１１】図９の紙箱の底面でジッパを引き剥がす状態を示す斜視図である。
【図１２】図１０の状態から紙箱を折り畳む状態を示す斜視図である。
【考案を実施するための形態】
【００１７】
以下、本考案の実施の形態を図面に基づいて説明する。ただし、以下に示す実施の形態は、本考案の技術思想を具体化するための包装容器を例示するものであって、本考案は包装容器を以下のものに特定しない。さらに、本明細書においては、実用新案登録請求の範囲を理解しやすいように、実施の形態に示される部材に対応する番号を、「実用新案登録請求の範囲」および「課題を解決するための手段及び考案の効果の欄」に示される部材に付記している。ただし、実用新案登録請求の範囲に示される部材を、実施の形態の部材に特定するものでは決してない。特に実施の形態に記載されている構成部材の寸法、材質、形状、その相対的配置等は、特定的な記載がない限りは、本考案の範囲をそれのみに限定する趣旨ではなく、単なる説明例にすぎない。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。また、一部の実施形態において説明された内容は、他の実施形態に利用可能なものもある。
（包装容器１００の構成）
【００１８】
一実施の形態に係る包装容器において、上蓋面を開封した状態の斜視図を図１に示す。箱形の包装容器１００には、上蓋面１２、底面１０、背面１１、正面１３、右側面１４及び左側面１５とした６面を備えている。正面１３には、開封時に破断する開封破断線３９を形成している。また、上蓋面１２には、フラップ３６を備えている。
【００１９】
この包装容器１００は、図２に示す展開図のような構成をなしている。まず、図に示す包装容器１００における左側の上蓋面１２には、上下に糊付面３３、３２を備え、これらの各接合部に折破断線３８、３７を形成している。さらに、上述したように上蓋面１２には、左側にフラップ３６を備え、これらの接合部に折罫線２７を形成している。
【００２０】
次に、上蓋面１２は、右横に背面１１を接合し、これらの接合部に折罫線２４を形成している。この図における背面１１の上下には、左側面１５及び右側面１４を備え、これらの各接合部に折罫線２２、２３を形成している。また、左側面１５の上端縁には、フラップ３５を備え、これらの接合部に折罫線２６を形成している。さらに、右側面１４の下端縁には、フラップ３４を備え、これらの接合部に折罫線２５を形成している。
【００２１】
さらに、背面１１の右側には、底面１０を接合し、これらの接合部に折罫線２１を形成している。この底面１０の上下には、糊付片３１、３０を備え、これらの各接合部に折罫線１９、２０を形成している。
【００２２】
さらにまた、底面１０の右側には、正面１３を接合し、これらの接合部に折罫線１８を形成している。この正面１３の上下には、側面カバー１７、１６を備え、これらの各接合部に折罫線２９、２８を形成している。上述した折罫線１８〜２９及び折破断線３７、３８は、全て山折りで９０°の角度に折曲される。ここで開封破断線３９及び折破断線３７、３８は、破断されたカット線分と、カット線分同士を繋ぐ繋ぎ線分とが交互に出現するように形成されている。
（底面１０の構造）
【００２３】
次に、図３は、上記実施の形態における包装容器の底面のみを拡大平面図として示す。この図に示すように底面１０は、略長方形の形状をなしており、対角線状に各々の破断線を形成している。この図の底面１０は、左上の隅部から右下の隅部までの対角線に第一破断線４０を形成している。また、底面１０は、右上の隅部における内角を二等分した第二破断線４１を、隅部から第一破断線４０まで延長している。この第二破断線４１と第一破断線４０とがなす角度αは、第一破断線４０の中央部側が９０°以上となる。さらに、底面１０は、左下の隅部における内角を二等分した第二破断線４２を、隅部から第一破断線４０まで延長している。この第二破断線４２と第一破断線４０とがなす角度αは、第一破断線４０の中央部側が９０°以上となる。ただ、上記破断線は、上述した構成に限定されることなく、左右を入れ替えることもできる。すなわち、図３の実施の形態では第一破断線を左上から右下まで延長し、第二破断線を右上及び左下から、それぞれ第一破断線に向かって延長しているが、逆に第一破断線を右上から左下までとし、第二破断線を左上及び右下から第一破断線まで延長してもよい。
（第一破断線４０）
【００２４】
第一破断線４０及び第二破断線４１、４２は、それぞれ、破断されたカット線分と、カット線分同士を繋ぐ繋ぎ線分とが交互に出現するように形成されている。また第一破断線４０は、図３の平面図に示すように、中央部に中央カット線分４０Ａと、また両端部に隅破断線部４０Ｄ、４０Ｅと、さらに中央カット線分４０Ａと隅破断線部４０Ｄ、４０Ｅの間に破断線部４０Ｂ、４０Ｃとを、有している。図３においては、隅破断線部４０Ｄ、破断線部４０Ｂ、中央カット線分４０Ａ、破断線部４０Ｃ、隅破断線部４０Ｅの順で一直線上に並んでいる。
（中央カット線分４０Ａ）
【００２５】
中央カット線分４０Ａは、対角線状の第一破断線４０の中央部において一定の長さでカット線分のみを入れたものである。中央カット線分４０Ａは、他のカット線分よりも長く形成している。中央カット線分４０Ａを設けることで、作業者は、中央カット線分４０Ａの近傍に指を接触させて押し込むことによって、第一破断線４０全体を破断できる。特に、中央カット線分４０Ａの近傍において、後述するようにカット線分を長めにして、繋ぎ線分を短めにすれば、弱い押圧力でも容易に第一破断線４０全体を破断できる。
【００２６】
図３の実施の形態では、中央カット線分４０Ａの寸法ＡＬを約２０ｍｍとしている。この形態では、第一破断線４０の長さを約２６０ｍｍとしており、その中央の約８％に中央カット線分４０Ａを設けている。ただ、この数値は一例であって、包装容器の寸法や紙の材質、厚さ、強度、収納される収納物の重さや求められる強度などを考慮に入れて、中央カット線分４０Ａの第一破断線における比率を適宜変更することができ、好ましくは、中央カット線分の長さは、第一破断線の全長に対し５〜２０％の範囲で調整することができる。５％を下回ると第一破断線４０全体を破断するために中央カット線分４０Ａの付近をより強く押圧する必要があるし、２０％を上回ると底面部材としての強度が保てなくなり、また内容物が落下することも考えられる。
（隅破断線部４０Ｄ、４０Ｅ）
【００２７】
また、第一破断線４０は、図３に示すように対角線の各端部から一定区間、隅破断線部４０Ｄ、４０Ｅを形成している。この隅破断線部４０Ｄ、４０Ｅも、繋ぎ線分とカット線分を交互に繰り返している。これによって、製函機による自動組立に適した包装容器とできる。
【００２８】
包装容器は、製函機による自動組立に対応させることができる。製函機は、包装容器を、図２に示す展開状態で取り込んで、図１に示す組立状態に自動的に組み立てる。包装容器の底面に対角線状の破断線を形成し、繋ぎ線分とカット線分との比率を同じとして製函機を通すと、図９の斜視図（ａ）及び斜めから見た側面図（ｂ）に示すように、組立られる包装容器の底面における隅部において、破断線の近傍で膨らんだ歪み部５０が生じ、不良となる。そこで本実施の形態では、第一破断線４０の端部近傍で、繋ぎ線分をカット線分より長くすることで、隅部の強度を増し、これによって包装容器１００を製函機で組み立てても、隅部の変形を阻止できる。
【００２９】
この図３に示す実施の形態での隅破断線部４０Ｄ、４０Ｅの寸法ＣＬは、約４０ｍｍとしている。この形態では、第一破断線４０の全長約２６０ｍｍに対して、約１５％を隅破断線部４０Ｄ、４０Ｅの長さとしている。この隅破断線部４０Ｄ、４０Ｅは、第一破断線４０と第二破断線４１、４２との交点Ｐ1、Ｐ2から第一破断線４０の端までの距離よりも短い長さとしている。また、隅破断線部４０Ｄ、４０Ｅの形状は、繋ぎ線分の長さ約３ｍｍと、カット線分の長さ約１．５ｍｍとし、寸法ＣＬの区間内において繰り返している。このように設定することで、製函機による組み立て時に隅部が変形することを抑制できる。なお、隅破断線部４０Ｄ、４０Ｅの長さや、繋ぎ線分とカット線分との比率は、上記に限るものでなく、使用される包装容器の紙の材質や強度、要求される強度等に応じて適宜設定できるが、好ましくは、第一破断線の全長に対して隅破断線部の比率を１０〜２０％の範囲で設定することができる。１０％を下回ると製函時の変形、２０％を上回ると破断線部からの脱線が生じやすい。さらに、隅破断線部における繋ぎ線分の長さは、カット線分の長さに対し比率を１５０〜２５０％の範囲で設定することができる。１５０％を下回ると製函時の変形、２５０％を上回ると破断線からの脱線が生じやすい。
（破断線部４０Ｂ、４０Ｃ）
【００３０】
さらに、第一破断線４０における中央カット線分４０Ａと隅破断線部４０Ｄ、４０Ｅとの間には、破断線部４０Ｂ、４０Ｃが形成されている。この破断線部４０Ｂ、４０Ｃは、繋ぎ線分をカット線分より短くした比率で形成されており、これによって、中央カット線分４０Ａから容易に破断を続けることができる。この実施の形態での破断線部４０Ｂ、４０Ｃは、繋ぎ線分の長さは約１．５ｍｍと、カット線分の長さ約３ｍｍとを繰り返し形成している。繋ぎ線分の長さをカット線分の長さの約半分の比率とすることで、弱い押圧力で押すことにより破断させることができる。ただし、この長さ及び比率は、上記に限るものではなく、作成される包装容器の寸法や紙の厚さなどにより、適宜変更することができる。好ましくは、繋ぎ線分の長さをカット線分の長さに対し比率を２５〜７５％の範囲で設定することができる。２５％を下回ると輸送などによる外部からの衝撃による破断、７５％を上回ると破断困難となる。
【００３１】
上述のように第一破断線４０は、中央近傍の破断線部４０Ｂ、４０Ｃにおける繋ぎ線分とカット線分との各長さと、端部近傍の隅破断線部４０Ｄ、４０Ｅにおける繋ぎ線分とカット線分との各長さを逆転させて形成している。ここで、破断線部４０Ｂ、４０Ｃは、第二破断線４１、４２との交点Ｐ1、Ｐ2を通り越し、隅破断線部４０Ｄ、４０Ｅとの接点まで延長している。また、破断線部４０Ｂ、４０Ｃは、カット線分の長さを繋ぎ線分よりも長く（図３における実施の形態では約２倍に）形成している。これにより、破断線部４０Ｂ、４０Ｃを破断し易くすると共に、破断線部４０Ｂ、４０Ｃと連続する隅破断線部４０Ｄ、４０Ｅも、破断線部４０Ｂ、４０Ｃから一気に破断し易くできる。すなわち、作業者が中央カット線分４０Ａの近傍を押圧することで、カット線分が繋ぎ線分よりも長い破断線部４０Ｂ、４０Ｃは、中央カット線分４０Ａから隅破断線部４０Ｄ、４０Ｅに向かって容易に破断される。さらに隅破断線部４０Ｄ、４０Ｅにおいても、本来的には破断線部４０Ｂ、４０Ｃよりも破断され難いところ、破断線部４０Ｂ、４０Ｃが中央側から端部側に向かって破断される勢いが伝達される結果、そのまま連続的に破断される。このように、第一破断線４０は、端部の隅破断線部４０Ｄ、４０Ｅの強度を増して製函機による組立時の変形を阻止しつつも、隣接する破断線部４０Ｂ、４０Ｃの易破断性を高めることで、廃棄時には、破断線部４０Ｂ、４０Ｃから隅破断線部４０Ｄ、４０Ｅに連続的に破断させることで、破断作業が行えるようにしている。
（第二破断線４１、４２）
【００３２】
次に、底面１０の第二破断線４１、４２は、上述したように第一破断線４０を設けた対角線とは異なる対角線を構成するそれぞれの端部より、内角を二等分する角度で第一破断線４０までされている。この第二破断線４１、４２は、繋ぎ線部とカット線分との比率を、長さ方向に均一に形成している。例えば、第二破断線は、繋ぎ線分の長さに対しカット線分の長さを短くした比率で、端部から第一破断線までを均一に繰り返すこともできる。
【００３３】
この実施の形態の第二破断線４１、４２は、繋ぎ線分とカット線分との長さが略同等に形成されている。この形態での第二破断線４１、４２の形状は、繋ぎ線分の長さ約３ｍｍと、カット線分の長さ約３ｍｍとを繰り返している。ただ、第二破断線４１、４２における繋ぎ線分とカット線分の各長さは、これに限るものではなく、作成される包装容器１００の寸法や紙の厚み等により適宜変更することができる。
【００３４】
さらに、第二破断線４１、４２のカット線分は、第一破断線４０の破断線分４０Ｂ、４０Ｃにおけるカット線分の長さと略等しく形成している。第二破断線分４１、４２は、破断線分４０Ｂ、４０Ｃの繋ぎ線分より長いカット線分を形成させ、第二破断線分４１、４２のカット線分と繋ぎ線分との長さを等しくすることで、容易に折り曲げることができる。一方、図３に示すように第二破断線４１、４２は、破断線部４０Ｂ、４０Ｃと、その中間の交点Ｐ1、Ｐ2において接合されている。このような構成の第一破断線４０は、中央近傍を押圧することにより、破断線部４０Ｂ、４０Ｃを一気に破断され、交点Ｐ1、Ｐ2を通り越し、隅破断線部４０Ｄ、４０Ｅまで連続的に破断される。特に破断線分４０Ｂ、４０Ｃは、第二破断線４１、４２との交点Ｐ1、Ｐ2の前後でカット線分と繋ぎ線分の比率を変更しておらず、第二破断線４１、４２よりも繋ぎ線分を短くした分、これよりも破断され易い。そのため、第二破断線４１、４２は、相対的に破断されにくく、その代わりに折曲されやすくなる。なお、この実施の形態では、第二破断線４１、４２のカット線分と破断線分４０Ｂ、４０Ｃのカット線分の長さを共に約３ｍｍとしているが、これに限るものではない。カット線分の長さは、作成される包装容器１００の寸法や紙の厚さなどにより、適宜変更することができる。
（包装容器１００の組立方法）
【００３５】
ここで包装容器１００を箱形に組み立てる方法を、図２において説明する。まず背面１１における周囲の折罫線２１、２２、２３、２４を山折りで９０°に折曲される。次に、糊付片３０、３１、３２、３３は、表面に糊を塗布し、折罫線１９、２０及び折破断線３７、３８を山折りで９０°に折曲され、右側面１４及び左側面１５の裏面に貼付けられる。さらに、フラップ３４、３５、３６は、折罫線２５、２６、２７を山折りで９０°に折曲される。次に、正面１３は、折罫線１８を山折りで９０°に折曲される。その後、正面１３の両端に位置している側面カバー１６、１７は、裏面に糊付けを行われ、折罫線２８、２９にて山折りで９０°に折曲され、右側面１４及び左側面１５の外側に貼り付けを行われる。これにより、包装容器１００は、箱形の形状に形成される。このため、包装容器１００は、収納される収納物を、正面１３が閉じる前に収納しておく必要性がある。
（包装容器１００の開封方法）
【００３６】
この組立られた箱形の包装容器１００は、包装されている収納物を使用するにあたり、開封される。この開封方法は、正面１３に形成した開封破断線３９を破断させ、フラップ３６に指をかけられるようにしてから、上蓋面１２をフラップ３６と共に引き上げる。その際に、右側面１４及び左側面１５に糊付けされた糊付片３２、３３は、折破断線３７、３８が破断することにより上蓋面１２より切り離される。これにより、糊付片３２、３３は、側面１４、１５に糊付けされた状態で保持される。
（包装容器１００の折り畳み方法）
【００３７】
一方、廃棄時における包装容器１００の折り畳み方法について、図４から図８の斜視図にて説明する。図４は図１に示す包装容器の底面を見た斜視図、図５は図４の包装容器を第一破断線に沿って破断した状態の斜視図、図６は図５の包装容器を第二破断線に沿って折り畳む状態の斜視図、図７は図６の包装容器を折り畳んだ状態の斜視図、図８は図７の包装容器の上蓋面を折り畳んだ状態の斜視図を、それぞれ示している。
【００３８】
まず、図４では、包装容器１００を折り畳むために、底面１０を上方に向け、底面１０の中央近傍を押圧し易い姿勢としている。
【００３９】
次に、図５では、包装容器１００における底面１０の中央近傍を作業者が指で押すことにより、第一破断線４０を少し破断させた状態を示している。第一破断線４０は、中央部に既に切断された中央カット線分４０Ａを設けている。ここを押圧することにより、中央カット線分４０Ａの両端の破断線部４０Ｂ、４０Ｃが破断し始める。これにより、第一破断線部４０は、弱い力でも押圧することにより破断させることができる。
【００４０】
また、図６では、包装容器１００における底面１０の中央部分をさらに押すことにより、第一破断線４０が端部まで破断され、第二破断線部４１、４２が谷折りに折曲し始めている状態を示している。第二破断線４１、４２は、繋ぎ線分とカット線分との長さを略同等とし繰り返し形成している。また上述したように、第二破断線４１、４２は、破断線部４０Ｂ、４０Ｃと、その中間の交点Ｐ1、Ｐ2において接続されている。この第一破断線４０は、中央近傍を押圧することにより、中央カット線分４０Ａと連なり破断され易い破断線部４０Ｂ、４０Ｃから隅破断線部４０Ｄ、４０Ｅまでを、直線的に一気に破断する。この一方で、破断線部４０Ｂ、４０Ｃの線上にある交点Ｐ1、Ｐ2から延長される第二破断線４１、４２は、押圧により破断されずに、谷折りに折曲される。
【００４１】
さらに、図７では、包装容器１００を折り畳んだ状態を示している。包装容器１００は、第一破断線４０が全て破断されると同時に第二破断線４１、４２が谷折りに折曲されるため、底面１０を包装容器１００の内部に収納することができる。これにより、折り畳まれた包装容器１００は、略平坦で突出部分を極力少なくすることができ、廃棄物として纏める際に嵩張ることがない。
【００４２】
さらにまた、図８では、包装容器１００の上蓋面１２を折り畳んだ状態を示している。この包装容器１００は、必要に応じてフラップ３６と共に上蓋面１２を、正面１３側へ山折りで折り畳むこともできる。これにより、正面１３側に上蓋面１２及びフラップ３６が重なり合うため、さらにコンパクト化することができ、廃棄物を一層纏めやすくすることができる。上蓋面１２及びフラップ３６の折曲方法は、山折りに限らず、谷折りとし折り畳むこともできる。
【００４３】
以上のように、包装容器１００は、底面１０の中央近傍を押厚させるだけで、底面１０を包装容器１００内部に、短時間で簡単に折り畳むことができ、廃棄に掛かる時間を短縮することができる。さらに、包装容器１００は、開封時点から廃棄を考慮に入れて、開封される上蓋面１２から糊付片３２、３３を切除することにより、折り畳み時点でのコンパクト化を考慮に入れている。
【産業上の利用可能性】
【００４４】
本考案に係る包装容器は、例えばアンプルを収納する紙製容器に好適に利用できる。
【符号の説明】
【００４５】
１００…包装容器
１０…底面
１１、１３、１４、１５…側面
１２…上蓋面
１６、１７…側面カバー
１８、１９、２０、２１、２２、２３、２４、２５、２６、２７、２８、２９…折罫線
３０、３１、３２、３３…糊付片
３４、３５、３６…フラップ
３７、３８…折破断線
３９…開封破断線
４０…第一破断線
４０Ａ…中央カット線分
４０Ｂ、４０Ｃ…破断線部
４０Ｄ、４０Ｅ…隅破断線部
４１、４２…第二破断線
５０…歪み部
９１８…底面
９５４、９５６…折り目
９５８…ジッパ
ＡＬ、ＣＬ…寸法
Ｐ1、Ｐ2…交点
【図１】
0003174254.tif 000003
【図２】
0003174254.tif 000004
【図３】
0003174254.tif 000005
【図４】
0003174254.tif 000006
【図５】
0003174254.tif 000007
【図６】
0003174254.tif 000008
【図７】
0003174254.tif 000009
【図８】
0003174254.tif 000010
【図９】
0003174254.tif 000011
【図１０】
0003174254.tif 000012
【図１１】
0003174254.tif 000013
【図１２】
0003174254.tif 000014